(57)【特許請求の範囲】
【請求項１】
雨樋の外面に沿って、導電性部材からなるアンテナを取り付ける取付け部材であって、取り付けられる前記雨樋の長手方向に間隔をあけて複数配置される非導電性の環状部と、前記複数の環状部を連結する非導電性の連結部と、で構成されるものであり、前記雨樋の周方向に分割される第１の半体と第２の半体とで構成され、前記複数の環状部の前記第１の半体に属する部分の少なくとも周方向の両端部に前記連結部が設けられ、前記複数の環状部の前記第２の半体に属する部分の少なくとも周方向の両端部に前記連結部が設けられることを特徴とする雨樋へのアンテナの取付け部材。
【請求項２】
前記アンテナに接続されるケーブルが所定位置に保持されるためのケーブル保持部が設けられることを特徴とする請求項１記載の雨樋へのアンテナの取付け部材。
【請求項３】
前記ケーブル保持部として、前記ケーブルが挟持される一対のケーブル挟持部が突設されることを特徴とする請求項１又は２記載の雨樋へのアンテナの取付け部材。
【請求項４】
前記取付け部材の前記アンテナに対する位置決めを行うための位置決め部が設けられることを特徴とする請求項１乃至３のいずれか一項に記載の雨樋へのアンテナの取付け部材。
【発明の詳細な説明】
【技術分野】
【０００１】
本発明は、雨樋へのアンテナの取付け部材に関するものである。
【背景技術】
【０００２】
従来より、雨樋の外面に、アンテナが貼り付けられたアンテナ付き雨樋が知られている（例えば特許文献１参照）。
【０００３】
前記特許文献１のアンテナ付き雨樋は、建物の軒先に沿って取付けられる軒樋である。しかしながら、建物の軒先の向きは、施工現場毎に様々に異なるため、アンテナの向き（指向性）が現場ごとにすべて異なる。しかしながら、軒樋は建物の軒先に対して常に一定の関係、つまり、軒樋と軒先とがほぼ平行で且つ軒樋の上開口が上方を向いて軒先からの雨水の流入に支障がないように施工される必要がある。
【０００４】
このため、放送電波の受信方向の調整のため、作業者が軒樋を動かして軒先に対する位置関係を変えることはできず、多くの現場では軒先にアンテナ付き軒樋を施工しても、放送電波を正確に受信するのが困難となる。
【０００５】
従って、アンテナ付き軒樋は、軒先が放送電波の受信方向を向いている現場でしか使用できない。そこで、本出願人は、竪樋にアンテナが取り付けられてなる雨樋を開発した。
【０００６】
この雨樋は、図８に示されるように、建物の外壁に沿って配設される雨樋（竪樋）の途中に取り付けられるもので、図９に示されるアンテナ１が取り付けられるアンテナ樋本体２と、このアンテナ樋本体２の上下方向の両端部に設けられる接続体９とを備えている。さらにアンテナ樋本体２は、図１０に示されるように、雨水を流すための排水流路を内部に有する雨樋本体２１と、この雨樋本体２１の外面に設けられるアンテナ１と、雨樋本体２１と同心円状に設けられてアンテナ１を外側から覆う外筒２２とを備えている。
【０００７】
アンテナ１は、取付け部材３０により雨樋本体２１に取り付けられるもので、取付け部材３０は雨樋本体２１の長手方向の複数箇所に適宜装着される。
【先行技術文献】
【特許文献】
【０００８】
【特許文献１】特開平３−８４１５６号公報
【発明の概要】
【発明が解決しようとする課題】
【０００９】
このような従来例にあっては、複数の取付け部材３によりアンテナ１が雨樋本体２１に取り付けられるため、アンテナ１の雨樋本体２１への取付けにかかる部材点数が多く、取付けに手間がかかるものであった。
【００１０】
本発明は、上記の従来例の問題点に鑑みて発明したもので、アンテナの雨樋への取り付けに用いられる部材の点数が少なく、取付けに手間がかからない、雨樋へのアンテナの取付け部材を提供することにある。
【課題を解決するための手段】
【００１１】
上記課題を解決するために本発明は、雨樋の外面に沿って、導電性部材からなるアンテナを取り付ける取付け部材であって、取り付けられる前記雨樋の長手方向に間隔をあけて複数配置される非導電性の環状部と、前記複数の環状部を連結する非導電性の連結部と、で構成されるものであり、前記雨樋の周方向に分割される第１の半体と第２の半体とで構成され、前記複数の環状部の前記第１の半体に属する部分の少なくとも周方向の両端部に前記連結部が設けられ、前記複数の環状部の前記第２の半体に属する部分の少なくとも周方向の両端部に前記連結部が設けられることに特徴を有する。
【００１３】
また、前記アンテナに接続されるケーブルが所定位置に保持されるためのケーブル保持部が設けられることが好ましい。
【００１４】
また、前記ケーブル保持部として、前記ケーブルが挟持される一対のケーブル挟持部が突設されることが好ましい。
【００１５】
また、前記取付け部材の前記アンテナに対する位置決めを行うための位置決め部が設けられることが好ましい。
【発明の効果】
【００１６】
本発明にあっては、アンテナの雨樋への取り付けに用いられる部材の点数が少なく、取付けに手間がかからないものである。
【図面の簡単な説明】
【００１７】
【図１】本発明の一実施形態の取付け部材の分解斜視図である。
【図２】同上の取付け部材の斜視図である。
【図３】同上の取付け部材の第１の半体がアンテナに被せられた状態の斜視図である。
【図４】同上の取付け部材のケーブル保持部にてケーブルを保持した状態の断面図である。
【図５】同上の位置決め部を説明するための要部の分解斜視図である。
【図６】同上のアンテナの前方側より見た斜視図である。
【図７】同上のアンテナの背方より見た斜視図である。
【図８】従来のアンテナが取り付けられた雨樋を備えた建物の概略側面図である。
【図９】同上のアンテナ樋本体（但し外筒は省略）および接続体の斜視図である。
【図１０】同上のアンテナ樋本体の破断した斜視図である。
【発明を実施するための形態】
【００１８】
以下、本発明の一実施形態について添付図面に基づいて説明する。
【００１９】
アンテナ１は、図８に示されるように、建物の外壁に沿って配設される雨樋（竪樋）の途中に取り付けられる。なお、本実施形態において図８乃至図１０の記載のうち従来の取付け部材３０以外の構成は同じであるため、図８乃至図１０（但し取付け部材３０を除く）に基づいて説明する。このアンテナ１が取り付けられた雨樋は、例えばアンテナ１にケーブル１５が接続されて、テレビ用のアンテナとして用いられる。アンテナ１が取り付けられた雨樋は、図９に示されるように、アンテナ１が取り付けられるアンテナ樋本体２と、このアンテナ樋本体２の上下方向の両端部に設けられる接続体９とを備えている。
【００２０】
アンテナ樋本体２は、図１０に示されるように、雨水を流すための排水流路を内部に有する雨樋本体２１と、この雨樋本体２１の外面に設けられるアンテナ１と、雨樋本体２１と同心円状に設けられてアンテナ１を外側から覆う外筒２２とを備えている。
【００２１】
雨樋本体２１は、長手方向が上下方向となる円筒形状となっており、非導電性の合成樹脂材料（例えば塩化ビニル）により構成され、この内部が排水流路となっている。なお本実施形態の雨樋本体２１はおよそ１ｍ程度の長さで形成されている。
【００２２】
アンテナ１は、断面略Ｃ字状の導電性部材１０により構成されており、例えば湾曲前に縦長矩形状となっている平板状をした鋼板が、短辺方向がＣ字状となるよう長辺方向に一様に湾曲させることで形成される。なお、本実施形態では導電性部材１０は断面略Ｃ字状をしているが、特に断面略Ｃ字状に限定されず、例えば断面略コ字状や断面略Ｕ字状のように環状でなければよい。
【００２３】
アンテナ１は、長辺方向が雨樋本体２１の軸方向と同方向で、且つ短辺方向が雨樋本体２１の周方向と同方向となるよう配置され、湾曲した背面が雨樋本体２１の外周面に沿うように装着される。本実施形態のアンテナ１は、図６に示されるように、アンテナ樋本体２の軸方向に沿ってスロット１１が形成されたスロットアンテナにより構成されており、このスロット１１が上下方向に複数並設されている。
【００２４】
アンテナ１は、第１の周波数帯（例えば４７３〜６００ＭＨｚ）の電波を受信する第１の受信部１２と、第２の周波数帯（例えば６００〜７２０ＭＨｚ）の電波を受信する第２の受信部１３とを有している。第１の受信部１２は、スロット１１及び当該スロット１１の周縁部により構成される。このスロット１１の上下方向の長さは、第１の周波数帯内の電波の電気的な半波長の長さに形成される。第２の受信部１３は、このスロット１１に対し上下方向に隣接する鋼板部分により構成される。この第２の受信部１３の周方向の長さは、第２の周波数帯内の電波の電気的な半波長の長さに形成される。
【００２５】
第１の受信部１２は、例えば次のように形成される。本実施形態の第１の周波数帯が４７３〜６００ＭＨｚであり、この第１の周波数帯内の中心周波数が５３６．５ＭＨｚであり、第１の周波数帯内の電波の電気的な半波長λ／２は約２８ｃｍとなる。これにより、スロット１１の長辺方向の長さは約２８ｃｍとなるように形成される。
【００２６】
また第２の受信部１３は、例えば次のように形成される。本実施形態の第２の周波数帯が６００〜７２０ＭＨｚであり、この第２の周波数帯の中心周波数が６６０ＭＨｚであり、第２の周波数帯内の電波の電気的な半波長λ／２は約２３ｃｍとなる。これにより、第２の受信部１３の周方向の長さは約２３ｃｍとなるように形成される。
【００２７】
スロット１１は、アンテナ樋本体２の軸方向に沿って長く形成されている。スロット１１は、三角形の頂点を互いに付き合わせたようなボウタイ形状に形成されている。スロット１１は、上下方向の略中央部分の最も幅狭となる部分に給電部１４が形成される。
【００２８】
給電部１４には、給電路となるアンテナ１側のケーブル１５が接続されている。本実施形態のケーブル１５は、同軸ケーブルにより構成されており、内側の線が、スロット１１の最も幅狭となる部分を挟んだ一方側に接続され、外側の網線が前記他方側に接続されている。ケーブル１５は、図９に示されるように、スロット１１に対して周方向にずれた位置に、軸方向に沿って這うように配置される。
【００２９】
またアンテナ１は、図７に示されるように、周方向の両端間に、上下方向の全長に亘って隙間１６が形成される。この隙間１６は、スロット１１と対向する位置に設けられ、すなわちアンテナ１の円弧中心を挟んで、スロット１１に対して対極の位置となるように形成される。またアンテナ１は、スロット１１の背部に抜き部１７が形成されている。抜き部１７は、導電性部材１０が存在しない部分であって、正面から見てスロット１１と重なる位置に設けられており、上下長さが、スロット１１の上下長さよりも長く、且つ周方向長さが、スロット１１の周方向長さよりも長く形成されている。
【００３０】
このような構成のアンテナ１は、図９に示されるように、湾曲した背面が雨樋本体２１の外周面に沿うように装着されるが、本発明では取付け部材３により固定される。
【００３１】
取付け部材３は、非導電性の合成樹脂材料により形成されるもので、図１、図２に示されるように、雨樋本体２１の長手方向（以下、単に長手方向という）に間隔をあけて複数設けられる環状部４と、環状部４を連結する連結部５と、からなるものである。本実施形態では、雨樋の周方向に分割される、平面視略Ｃ字状の第１の半体３１と第２の半体３２とが連結されて構成される。
【００３２】
図１に示されるように、平面視略Ｃ字状をした環状部４が長手方向に間隔をあけて、長手方向に直線状となった連結部５にて連結されて、第１の半体３１と第２の半体３２とがそれぞれ構成される。
【００３３】
第１の半体３１には、長手方向に間隔をあけて第１環状部４１〜第４環状部４４の４個の環状部４が設けられる。そして、環状部４の周方向における両端に、第１環状部４１〜第４環状部４４を連結する直線状をした連結部５が連結され、第１環状部４１〜第４環状部４４と連結部５とが一体に構成されている。なお、環状部４の数は限定されないものである。
【００３４】
また本実施形態では、第１の半体３１の環状部４を連結する連結部５として、図１、図２に示されるように、第１環状部４１と第２環状部４２の間、および、第２環状部４２と第３環状部４３との間に、長手方向に対して傾いた斜連結部５１が設けられている。このような筋交い状の斜連結部５１により、剛性および強度が向上する。
【００３５】
第１の半体３１には、第２の半体３２と連結されるための係止部６１が設けられるもので、本実施形態では、両連結部５から周方向に係止部６１が突設されている。
【００３６】
第２の半体３２には、長手方向に間隔をあけて第１環状部４５〜第４環状部４８の４個の環状部４が設けられる。なお、各環状部４は長手方向に別体として備える２本の環状部４からなる。そして、環状部４の周方向における両端と略中央部に、第１環状部４５〜第４環状部４８を連結する直線状をした連結部５が連結され、第１環状部４５〜第４環状部４８と連結部５とが一体に構成されている。なお、環状部４の数は限定されないものであり、また、第１の半体３１の環状部４の個数と第２の半体３２の環状部４の個数とが同じである必要もなく、個数が同じであっても第１の半体３１の第ｎ環状部４と第２の半体３２の第ｎ環状部４の長手方向における位置が同じである必要もない。
【００３７】
第２の半体３２には、第１の半体３１と連結されるための被係止部６２が設けられるもので、本実施形態では、両連結部５に係止部６１が嵌め込まれる凹所からなる被係止部６２が形成されている。
【００３８】
第１の半体３１の係止部６１が第２の半体３２の被係止部６２に嵌まり込み、係止部６１の先端に内側に突設された突部が、被係止部６２に形成された凹部に嵌まり込んで、図２に示されるように連結される。この時、図３に示されるように、アンテナ１（のスロット１１）に対して所定の位置に取り付けられる。取付け部材３は非導電性の部材であるが、スロット１１およびその周辺にかかる（重なる）面積が大きいと、受信の感度が低下してしまう。このため、取付け部材３のスロット１１およびその周辺にかかる面積が小さい程好ましいものである。そこで、図３に示されるように、スロット１１の長手方向の外側に第１環状部４１が位置し、スロット１１の給電部１４と長手方向端部との間に第２環状部４２が位置し、スロット１１の給電部１４の長手方向の両外側に第３環状部４３と第４環状部４４とがそれぞれ位置するように設計されている。
【００３９】
また、ケーブル１５は、導電性の部材で、スロット１１にかかると、受信の感度が低下してしまうため、スロット１１が形成されていない部分に位置するように、位置が固定されるのが好ましい。そこで、図４、図１に示されるように、取付け部材３に、ケーブル１５を保持するケーブル保持部７が設けられている。本実施形態では、ケーブル１５は第１の半体３１の一方の連結部５に沿うように固定されるもので、図３、図６に示されるように、この連結部５の外面にケーブル保持部７としての保持片７１が突設されており、保持片７１と連結部５の外面との間でケーブル１５を保持するものである。また、図１に示されるように連結部５に沿うように設けられるケーブル１５の先端が給電部１４に向けて所定のカーブを描いて曲げられるように、ケーブル保持部７として一対のケーブル挟持部５２が設けられる。ケーブル挟持部５２は、給電部１４の周方向の両側において、第１の半体３１の第３環状部４３と第４環状部４４間に架設される連結部５のうちの一方の連結部５の表面に突設されている。この一対のケーブル挟持部５２によりケーブル１５が挟持されて保持され、ケーブル１５の取付け部材３に対する位置およびアンテナ１に対する位置が固定される。
【００４０】
取付け部材３のアンテナ１に対する取付位置が周方向にずれると、ケーブル１５がスロット１１にかかってしまう惧れがあるため、本実施形態では、取付け部材３のアンテナ１に対する位置決めを行うための位置決め部８が設けられている。位置決め部８は、取付け部材３（本実施形態では第１の半体３１の第１環状部４１の裏面）に設けられる凸部８１と、アンテナ１に設けられ前記凸部８１が嵌まり込む切欠部８３とからなるが、特に凸部８１と切欠部８３とに限定されない。さらに本実施形態では、前記凸部８１が嵌まり込む切欠部８２が雨樋に形成されている。アンテナ１の導電性部材１０は凸部８１の突出長さよりも薄く、凸部８１がアンテナ１内の厚み内に収容されないため、雨樋の切欠部８２に収容されるようになっている。
【００４１】
このようなアンテナ１が取り付けられた雨樋にあっては、雨水を流すための雨樋本体２１と、アンテナ１とが兼用されるので、屋根上に専用のアンテナの設置の必要がなくて、外観が向上する。しかも、屋根上に専用のアンテナが設置される場合、屋根に沿ってケーブル１５が配設されることとなるが、本実施形態においては、雨樋から直ぐに建物内にケーブル１５が引き込まれる。これにより、ケーブル１５の配設距離が短くなり、より一層外観が向上する。
【００４２】
そして、取付け部材３によりアンテナ１が雨樋本体２１に取付けられて、取付けが容易である。特に、従来のように複数の取付け部材３により取り付けられるものに比べ、アンテナ１の雨樋への取り付けに用いられる部材の点数が少なく、取付けに手間がかからないものである。
【００４３】
なお、雨樋本体２１とアンテナ１と外筒２２と接続体９とがユニット化されて樋部品が構成されてもよい。建物の壁面に沿って新たに雨樋を配設する場合、雨樋の一部として前記ユニット化された樋部品が使用されることで、施工の手間が省かれるものである。また、既存の雨樋の一部が切断除去される場合でも、前記ユニット化された樋部品が使用されることで、施工の手間が省かれる。
【００４４】
また、本実施形態では雨樋が竪樋であるが、取付け部材３は雨樋が筒状をしていれば竪樋でなくても適用可能である。
【００４５】
また、本実施形態では雨樋が雨樋本体２１と外筒２２とを備えているが、外筒２２を備えなくてもよい。
【符号の説明】
【００４６】
１    アンテナ
１０  導電性部材
１１  スロット
１２  第１の受信部
１３  第２の受信部
１４  給電部
１５  ケーブル
１６  隙間
１７  抜き部
２    アンテナ樋本体
２１  雨樋本体
２２  外筒
３    取付け部材
３１  第１の半体
３２  第２の半体
４    環状部
５    連結部
６１  係止部
６２  被係止部
７    ケーブル保持部
８    位置決め部
９    接続体
【図１】
0005580791.tif 000002
【図２】
0005580791.tif 000003
【図３】
0005580791.tif 000004
【図４】
0005580791.tif 000005
【図５】
0005580791.tif 000006
【図６】
0005580791.tif 000007
【図７】
0005580791.tif 000008
【図８】
0005580791.tif 000009
【図９】
0005580791.tif 000010
【図１０】
0005580791.tif 000011